(57)【要約】      （修正有）【課題】１台の台車で、タイヤ交換と点検整備作業を行うことができる工具収納部を有するタイヤリフターを提供する。【解決手段】床上を移動自在な、タイヤの昇降可能なタイヤリフター１と、該タイヤリフターに設けた、工具収納部９とより構成される。工具収納部は、工具載置用の１の棚部１１、または、上下方向に複数段設けられた複数の棚部により形成されている。【選択図】図１
0003230099.tif 000002
【実用新案登録請求の範囲】
【請求項１】
床上を移動自在な、タイヤを昇降可能なタイヤリフターと、
該タイヤリフターに設けた、工具収納部とよりなることを特徴とする工具収納部を有するタイヤリフター。
【請求項２】
前記工具収納部は、工具載置用の１の棚部、または、上下方向に複数段設けられた複数の棚部により形成されていることを特徴とする請求項１に記載の工具収納部を有するタイヤリフター。
【請求項３】
前記タイヤリフターは、床上を移動自在な基台部と、該基台部に垂設した支柱部と、該支柱部に沿って上下動自在な、タイヤを保持するタイヤ保持部と、該タイヤ保持部を、前記支柱部に対して上下動駆動する駆動手段とよりなることを特徴とする請求項１または２に記載の工具収納部を有するタイヤリフター。
【請求項４】
前記タイヤ保持具は、２本の支持棒と、
保持されるタイヤの下側外周面の前後をそれぞれ支持する、前記各支持棒にそれぞれ設けた、タイヤの回転軸回りに回転自在に設けた回転ローラーとよりなることを特徴とする請求項３に記載の工具収納部を有するタイヤリフター。
【考案の詳細な説明】
【技術分野】
【０００１】
本考案は、工具収納部を有するタイヤリフター、特に、例えば、車両の点検整備に必要とされる工具等を収納できる収納部を有する、車両のタイヤを昇降させるリフターに関するものである。
【背景技術】
【０００２】
例えば、リフトアップされた車両のタイヤを脱着する場合、取り外したタイヤを床まで下げたり、これから装着するタイヤを所望の高さまで持ち上げたりするのを人間が行うのは重量労働となる。
【０００３】
そのため、タイヤを昇降させるタイヤリフターがある。
【０００４】
図４〜図６は、前記従来のタイヤリフター１を示し、２は、例えば、下面に、キャスター等の移動手段３が設けられた、床上を移動自在に設けられた基台部、４は、前記基台部２に垂設した支柱部、５は、前記支柱部４に沿って上下動自在に設けられた昇降台、６は、前記昇降台５を上下動駆動するための駆動手段、７は、前記昇降台５に固定した、タイヤ８を載置するためのタイヤ保持部（タイヤ載置部）を示す。
【０００５】
また、前記タイヤ保持部７は、例えば、上記昇降台５に、水平方向外方に並列して突出して設けた２本の支持棒７ａ、７ａよりなり、該支持棒７ａ、７ａ間にタイヤを載置して、前記支持棒７ａ、７ａにより、それぞれ前記タイヤ８の下側外周面の前後を支えるようにして、保持するようにする。
【０００６】
なお、前記駆動手段６としては、例えば、手巻き式の手動ウインチや、モータによる電動ウインチや、インパクトレンチを利用したウインチなどがある。
【０００７】
前記タイヤリフターにおいては、例えば、タイヤを上昇させるためには、図５に示すように、前記昇降台５を最下端まで下げ、そして、タイヤ８を前記タイヤ保持部７に乗せ、図６に示すように、前記昇降台５を、前記駆動手段６により、所望の位置まで、上昇させるようにする。
【０００８】
これにより、重たいタイヤを、人間が所望の位置まで持ち上げる必要がなく、労力の軽減を図ることができる。
【０００９】
例えば、このようなタイヤリフターとしては、例えば、特許文献１がある。
【先行技術文献】
【特許文献】
【００１０】
【特許文献１】特開２０１７−７１２２８号公報
【考案の概要】
【考案が解決しようとする課題】
【００１１】
しかしながら、タイヤの取り外し作業を行う時には、複数の工具が必要であり、従来においては、工具が収納された、移動可能な工具台（ツールキャビネット）を、別途、車両の側に備えて作業していたが、車両の側には、タイヤリフターとツールキャビネットの２台の移動台があるため、作業スペースが狭くなると共に、作業効率が悪かった。
【００１２】
本考案は、前記の不具合を解消するようにしたものである。
【課題を解決するための手段】
【００１３】
本考案の工具収納部を有するタイヤリフターは、床上を移動自在な、タイヤを昇降可能なタイヤリフターと、該タイヤリフターに設けた、工具収納部とよりなることを特徴とする。
【００１４】
また、前記工具収納部は、工具載置用の１の棚部、または、上下方向に複数段設けられた複数の棚部により形成されていることを特徴とする。
【００１５】
また、前記タイヤリフターは、床上を移動自在な基台部と、該基台部に垂設した支柱部と、該支柱部に沿って上下動自在な、タイヤを保持するタイヤ保持部と、該タイヤ保持部を、前記支柱部に対して上下動駆動する駆動手段とよりなることを特徴とする。
【００１６】
また、前記タイヤ保持具は、２本の支持棒と、保持されるタイヤの下側外周面の前後をそれぞれ支持する、前記各支持棒にそれぞれ設けた、タイヤの回転軸回りに回転自在に設けた回転ローラーとよりなることを特徴とする。
【考案の効果】
【００１７】
本考案によれば、１台の台車で、タイヤ交換と点検整備作業等を行うことができるので、省スペース化、作業効率の向上を図ることができるようになる。
【図面の簡単な説明】
【００１８】
【図１】本考案の工具収納部を有するタイヤリフターの昇降台が上昇した状態を示す説明用斜視図である。
【図２】本考案の工具収納部を有するタイヤリフターの昇降台が下降した状態を示す説明用斜視図である。
【図３】本考案の工具収納部を有するタイヤリフターの説明用透過図である。
【図４】従来のタイヤリフターの説明用斜視図である。
【図５】従来のタイヤリフターの昇降台が下降した状態を示す説明用斜視図である。
【図６】従来のタイヤリフターの昇降台が上昇した状態を示す説明用斜視図である。
【考案を実施するための形態】
【００１９】
以下、図面によって本考案の実施例を説明する。
【００２０】
なお、従来と同じ部分には、同じ符号を付け、説明を省略する。
【実施例１】
【００２１】
本考案においては、図１及び図２に示すように、前記従来のタイヤリフター１に、工具収納部９を設ける。
【００２２】
なお、１０は、例えば、レバーを踏むことにより、下方に突っ張り棒が突出する足踏み式のタイヤリフター固定装置である。
【００２３】
前記工具収納部９は、前記基台部２又は前記支柱部４に設けられ、そして、該工具収納部９は、例えば、棚板などの１の棚部、または、上下方向に複数段設けられた棚板などの複数の棚部１１により形成され、該棚部１１上に、例えば、足回り点検に必要とされる工具や、スプレー缶や、これらが入れられた工具箱などが載置、収納されるようになる。
【００２４】
なお、前記棚部１１は、例えば、棚板以外に、ボックス状に形成されるようにしてもよい。
【００２５】
また、本考案の実施例においては、前記支柱部４は、前記基台部２に垂設された下部支柱部４ａと、該下部支柱部４ａに上下動自在に設けられた上部支柱部４ｂよりなる上下方向に伸縮可能な支柱部よりなり、前記昇降台５は、前記上部支柱部４ｂに上下方向に移動自在に設けられている。
【００２６】
また、駆動手段６は、例えば、手巻き式の手動ウインチよりなり、ハンドル６ａを回転させることにより、前記下部支柱部４ａ、前記上部支柱部４ｂ、前記昇降台５にそれぞれ設けられた滑車機構部６ｂに懸架されたワイヤー６ｃを巻き取り、又は、引き出すことにより、前記昇降台５が、前記支柱部４に対して昇降するように形成されている。
【００２７】
また、タイヤ保持具７には、図３に示すように、例えば、前記２本の支持棒７ａ、７ａの内側に、タイヤの回転軸回りに回転自在な回転ローラー１２をそれぞれ設け、該回転ローラー１２間でタイヤを保持するようにする。
【００２８】
これにより、載置したタイヤがタイヤ保持具７に対して、回転自在となり、車両にタイヤを装着する際、車両のホイール取付ボルトに、タイヤのホイールナット取付穴部分を容易に位置合わせができるようになる。
【００２９】
本考案は前記のような構成であるから、前記工具収納部９に工具等を収納した状態で、タイヤリフター１を所望の位置に移動し、そして、必要に応じて、図１に示すように、昇降台５を上昇させ、また、図２に示すように、昇降台５を下降させることができるようになる。
【００３０】
本考案においては、ツールキャビンとタイヤリフターが一体化しているので、タイヤと共に、工具類も保持、移動することができ、そして、１台の台車で、タイヤ交換と、ブレーキ点検などの足回りの点検整備作業等を行うことができ、省スペース化、作業効率の向上を図ることができるようになる。
【符号の説明】
【００３１】
１      タイヤリフター
２      基台部
３      移動手段
４      支柱部
４ａ    下部支柱部
４ｂ    上部支柱部
５      昇降台
６      駆動手段
６ａ    ハンドル
６ｂ    滑車機構部
６ｃ    ワイヤー
７      タイヤ保持部
７ａ    支持棒
８      タイヤ
９      工具収納部
１０    固定手段
１１    棚部
１２    回転ローラー
【図１】
0003230099.tif 000003
【図２】
0003230099.tif 000004
【図３】
0003230099.tif 000005
【図４】
0003230099.tif 000006
【図５】
0003230099.tif 000007
【図６】
0003230099.tif 000008